(57)【要約】【課題】  この種薄型テレビジョンのスピーカを好みの場所に配置することができる薄型テレビジョンを提供することを目的とする。【解決手段】  テレビジョン受信手段２と、テレビジョン受信手段２からの出力信号に基づいて画像情報を表示する薄型の画像表示部３と、テレビジョン受信手段２を統括して制御する制御手段４と、これらテレビジョン受信手段２、画像表示部３および制御手段４を収納する筐体６と、スピーカボックス７１内にスピーカ本体７２を収納し、テレビジョン受信手段２からの出力信号に基づいて音声を発するスピーカ７と、を備えた薄型テレビジョン１において、筐体６の下端部６２に、スピーカ７を着脱可能に装着するスライド手段９を更に備え、スライド手段９は、筐体６の下端部６２に設けられた係合部９１と、スピーカボックス７１の上端部７２に設けられ、係合部９１に嵌装される嵌合溝９２とから形成する。【選択図】図４
2008244932.tif 000002
【特許請求の範囲】
【請求項１】
アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する薄型の画像表示部と、前記テレビジョン受信手段を統括して制御する制御手段と、これらテレビジョン受信手段、画像表示部および制御手段を収納する筐体と、スピーカボックス内にスピーカ本体を収納し、前記テレビジョン受信手段からの出力信号に基づいて音声を発するスピーカと、を備えた薄型テレビジョンにおいて、
前記筐体の下端部に、前記スピーカを着脱可能に装着するスライド手段を更に備え、前記スライド手段は、前記筐体の下端部に直線状に設けられた断面形状が略逆Ｔ字状の係合部と、前記スピーカボックスの上端部に設けられ、前記係合部に嵌装される略逆Ｔ字状の嵌合溝とから形成されているとともに、前記テレビジョン受信手段は、音声信号を発信する発信部を、前記スピーカは、前記発信部からの音声信号を受信する受信部を更に備え、前記スピーカをワイヤレスに構成したことを特徴とする薄型テレビジョン。
【請求項２】
アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する薄型の画像表示部と、前記テレビジョン受信手段を統括して制御する制御手段と、これらテレビジョン受信手段、画像表示部および制御手段を収納する筐体と、スピーカボックス内にスピーカ本体を収納し、前記テレビジョン受信手段からの出力信号に基づいて音声を発するスピーカと、を備えた薄型テレビジョンにおいて、
前記筐体の下端部に、前記スピーカを着脱可能に装着するスライド手段を更に備え、前記スライド手段は、前記筐体の下端部またはスピーカボックスの上端部に設けられた係合部と、前記筐体の下端部またはスピーカボックスの上端部に設けられ、前記係合部に嵌装される嵌合溝とから形成したことを特徴とする薄型テレビジョン。
【請求項３】
前記スライド手段は、前記筐体の下端部に直線状に設けられた断面形状が略逆Ｔ字状の係合部と、前記スピーカボックスの上端部に設けられ、前記係合部に嵌装される略逆Ｔ字状の嵌合溝とから形成したことを特徴とする請求項２に記載の薄型テレビジョン。
【請求項４】
前記スライド手段は、前記筐体の下端部に直線状に設けられた断面形状が略鉤状の係合部と、前記スピーカボックスの上端部に設けられ、前記係合部に嵌装される略鉤状の嵌合溝とから形成したことを特徴とする請求項２に記載の薄型テレビジョン。
【請求項５】
前記テレビジョン受信手段は、音声信号を発信する発信部を、前記スピーカは、前記発信部からの音声信号を受信する受信部を更に備え、前記スピーカをワイヤレスに構成したことを特徴とする請求項２に記載の薄型テレビジョン。
【発明の詳細な説明】
【技術分野】
【０００１】
本発明は、例えば、液晶ディスプレやプラズマディスプレなどからなる薄型の画像表示部（フラットディスプレ）を備えた薄型テレビジョンに関し、特に、簡単な構成により、この種薄型テレビジョンのスピーカを好みの場所に配置することができるようにしたものである。
【背景技術】
【０００２】
近年、液晶ディスプレやプラズマディスプレなどの薄型化および表示画面の大型化が進み、従来のＣＲＴに代わって薄型の画像表示部を備えた薄型テレビジョンが急速に普及しつつある。
【０００３】
従来のテレビジョンでは、例えば、テレビジョン受像機の左右の側面にフックを設け、このフックにスピーカを取り付けるようにしたものがある(例えば、特許文献１参照）。
【０００４】
また、テレビジョン受像機の左右に設けた支持棒にスピーカを取り付け、支持棒をラック・ピニオンギアにより、スライド可能にしたものがある(例えば、特許文献２参照）。
【特許文献１】特開平６−１０５２５７号公報
【特許文献２】特開２０００−２２１９２２号公報
【発明の開示】
【発明が解決しようとする課題】
【０００５】
しかし、前述の特許文献１記載の構成では、フックでスピーカを取り付ており、その取り付けが不安定である。また、テレビジョン受像機の左右にスピーカを取り付けており、この種テレビジョンの大型化に伴って、横方向（幅方向）の設置面積が大きくなるなどいった問題があった。また、特許文献２記載の構成では、スピーカは、テレビジョン受像機から取外すことはできず、好みの場所に配置するはできない。更に、上述したように、テレビジョン受像機の左右にスピーカを取り付けており、この種テレビジョンの大型化に伴って、設置面積が大きくなるなどいった問題があった。
【０００６】
本発明は、上述した問題を解決するためになされたものであり、簡単な構成により、この種薄型テレビジョンのスピーカを好みの場所に配置することができる薄型テレビジョンを提供することを目的とする。
【課題を解決するための手段】
【０００７】
かかる目的を達成するため、本発明では、アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する薄型の画像表示部と、テレビジョン受信手段を統括して制御する制御手段と、これらテレビジョン受信手段、画像表示部および制御手段を収納する筐体と、スピーカボックス内にスピーカ本体を収納し、テレビジョン受信手段からの出力信号に基づいて音声を発するスピーカと、を備えた薄型テレビジョンにおいて、筐体の下端部に、スピーカを着脱可能に装着するスライド手段を更に備え、スライド手段は、筐体の下端部に直線状に設けられた断面形状が略逆Ｔ字状の係合部と、スピーカボックスの上端部に設けられ、係合部に嵌装される略逆Ｔ字状の嵌合溝とから形成されているとともに、テレビジョン受信手段は、音声信号を発信する発信部を、スピーカは、発信部からの音声信号を受信する受信部を更に備え、スピーカをワイヤレスに構成する。
【０００８】
この構成によれば、スピーカは、筐体の下端部にスライド手段により着脱可能に装着されており、ユーザは、スピーカを必要に応じて、筐体から取り外し、所望の場所に移動させて、薄型テレビジョンからの音声を聴くことができる。また、スピーカは、筐体の下端部に装着されているので、横方向の縮小化が図れ、この種テレビジョンの大型化に対応することができる。また、この種テレビジョンの大型化に伴って、ユーザは、画像表示部から離れた位置で見ることになり、勢い、スピーカの音量を大きくする必要があるが、所望の場所に簡単に移動できるので、殊更、スピーカの音量を大きくする必要なく、都合がよい。また、このようなスピーカの移動に際し、ワイヤレスに構成されているので、配線などを一切考慮する必要がなく、都合がよい。更に、スピーカを筐体の下端部に着脱可能に装着するスライド手段は、断面形状が略逆Ｔ字状の係合部と、略逆Ｔ字状の嵌合溝とから形成されているので、極めて安定した状態で、スピーカを装着することができ、都合がよい。
【０００９】
また、本発明においては、アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する薄型の画像表示部と、テレビジョン受信手段を統括して制御する制御手段と、これらテレビジョン受信手段、画像表示部および制御手段を収納する筐体と、スピーカボックス内にスピーカ本体を収納し、テレビジョン受信手段からの出力信号に基づいて音声を発するスピーカと、を備えた薄型テレビジョンにおいて、筐体の下端部に、スピーカを着脱可能に装着するスライド手段を更に備え、スライド手段は、筐体の下端部またはスピーカボックスの上端部に設けられた係合部と、筐体の下端部またはスピーカボックスの上端部に設けられ、係合部に嵌装される嵌合溝とから形成する。
【００１０】
この構成によれば、スピーカは、筐体の下端部にスライド手段により着脱可能に装着されており、ユーザは、スピーカを必要に応じて、筐体から取り外し、所望の場所に移動させて、薄型テレビジョンからの音声を聴くことができる。また、スピーカは、筐体の下端部に装着されているので、横方向の縮小化が図れ、この種テレビジョンの大型化に対応することができる。また、この種テレビジョンの大型化に伴って、ユーザは、画像表示部から離れた位置で見ることになり、勢い、スピーカの音量を大きくする必要があるが、所望の場所に簡単に移動できるので、殊更、スピーカの音量を大きくする必要なく、都合がよい。
【００１１】
また、本発明においては、スライド手段は、筐体の下端部に直線状に設けられた断面形状が略逆Ｔ字状の係合部と、スピーカボックスの上端部に設けられ、係合部に嵌装される略逆Ｔ字状の嵌合溝とから形成する。この構成によれば、スピーカを筐体の下端部に着脱可能に装着するスライド手段は、断面形状が略逆Ｔ字状の係合部と、略逆Ｔ字状の嵌合溝とから形成されているので、極めて安定した状態で、スピーカを装着することができ、都合がよい。
【００１２】
また、本発明においては、スライド手段は、前記筐体の下端部に直線状に設けられた断面形状が略鉤状の係合部と、前記スピーカボックスの上端部に設けられ、前記係合部に嵌装される略鉤状の嵌合溝とから形成する。この構成によれば、スピーカを筐体の下端部に着脱可能に装着するスライド手段は、断面形状が略鉤状の係合部と、略鉤状の嵌合溝とから形成されているので、極めて安定した状態で、スピーカを装着することができ、都合がよい。また、係合部および嵌合溝の形状が、略鉤状でシンプルなため、これらを成型するための金型の構造が簡単となり、都合がよい。
【００１３】
更に、本発明においては、テレビジョン受信手段は、音声信号を発信する発信部を、前記スピーカは、前記発信部からの音声信号を受信する受信部を更に備え、前記スピーカをワイヤレスに構成する。この構成によれば、スピーカは、ワイヤレスに構成されているので、スピーカの移動に際し、配線などを一切考慮する必要がなく、都合がよい。
【発明の効果】
【００１４】
本発明によれば、簡単な構成により、この種薄型テレビジョンのスピーカを好みの場所に配置することができる薄型テレビジョンを得ることができる。
【発明を実施するための最良の形態】
【００１５】
（第１実施形態）
以下、本発明の一実施形態を図１乃至図４に基づいて説明する。図１は、本発明の一実施形態に係る薄型テレビジョンのブロック構成を示すブロック図である。図２は、図１に示す薄型テレビジョンの概略構成を示す正面図、図３は、図２に示す薄型テレビジョンのスピーカの一方を取り外した状態を示す正面図である。図４は、スライド手段の一例を示す概略側面図である。
【００１６】
図１に示すように、例えば、アナログ式の薄型テレビジョン１は、テレビジョン受信手段２と、このテレビジョン受信手段２からの出力信号に基づいて画像情報を表示する薄型の画像表示部３と、テレビジョン受信手段２などを統括して制御する制御手段４と、各部に電力を供給する電源部５と、これらテレビジョン受信手段２、画像表示部３、制御手段４および電源部５などを収納する筐体６と、スピーカボックス７１内にスピーカ本体７２を収納し、テレビジョン受信手段２からの出力信号に基づいて音声を発する一対のスピーカ７とから構成されている。
【００１７】
テレビジョン受信手段２は、アンテナＡを介して受信したテレビジョン放送信号の中から、ユーザにより設定入力されたチャンネルの放送信号の選局・復調を行って、映像信号・音声信号を出力する。このテレビジョン受信手段２は、例えば、アンテナＡで受信したアナログの映像信号・音声信号を中間周波数に変換するチューナ２１と、その中間周波数を増幅するＩＦ増幅部２２と、ＩＦ増幅部２２から出力される映像信号を検波する映像検波部２３と、同じく、ＩＦ増幅部２２から出力される音声信号を検波する音声検波部２４とから構成されている。
【００１８】
薄型の画像表示部３は、例えば、液晶ディスプレ３からなり、図２に示すように、例えば、厚みの薄い略矩形状の筐体６のフロント側に形成された矩形状の開口６１に、液晶ディスプレ３の表示面である液晶パネル３１が嵌め込まれ、この液晶パネル３１において映像などを表示することが可能となっている。
【００１９】
制御手段４は、テレビジョン受信手段２を統括して制御するマイクロコンピュータから構成されている。この制御手段４は、リモート・コントローラ受信部８を介して入力されるリモート・コントローラＲからの種々のコマンド信号に応じて各部に制御信号を発して所定の動作を行わせる。
【００２０】
かかる構成により、ユーザは、例えば、リモート・コントローラＲを用いて、薄型テレビジョン１を操作し、所望のチャンネルに合わせることにより、液晶ディスプレ３の液晶パネル３１に表示される画像を観ることができ、同時にスピーカ７から音声を聴くことができる。
【００２１】
而して、本発明に従い、図２乃至図４に示すように、スピーカ７を筐体６の下端部６２に、着脱可能に装着するスライド手段９を更に備えている。このスライド手段９は、例えば、スピーカボックス７１の上端部７３に直線状に設けられた断面形状がＴ字状の係合部９１と、筐体６の下端部６２に設けられた断面形状がＴ字状の嵌合溝９２とから形成されている。そして、スピーカ７は、スライド手段９の嵌合溝９２に係合部９１が嵌合することにより、図２に示すように、筐体６の下端部６２の左右に配設したり、また、図３に示すように、一方のスピーカ７を、筐体６の下端部６２の中央に配設し、他方のスピーカ７を他の場所に移動したりすることができる。
【００２２】
このスピーカ７の着脱（嵌合）は、図２および図３において、紙面左右方向の何れからも着脱可能に構成しても、或いは、一方からのみとしても良い。また、図示しないが、スライド手段９にロック機構や、ストッパー機構を付設して、常時は、筐体６の下端部６２に固定状態にし、移動する際に、ロック機構や、ストッパー機構を解除するようにしても良いのは、勿論である。なお、図３において、符号Ｃは、音声検波部２４と、スピーカ７とを接続するコードである。
【００２３】
以上の構成による本実施形態によれば、スピーカ７は、筐体６の下端部６２にスライド手段９により着脱可能に装着されており、ユーザは、スピーカ７を必要に応じて、筐体６から取り外し、所望の場所に移動させて、薄型テレビジョン１からの音声を聴くことができる。
【００２４】
また、本実施形態によれば、スピーカ７は、筐体６の下端部に装着されているので、横方向の縮小化が図れ、この種テレビジョンの大型化に対応することができる。また、この種テレビジョンの大型化に伴って、ユーザは、画像表示部３から離れた位置で見ることになり、勢い、スピーカ７の音量を大きくする必要があるが、所望の場所に簡単に移動できるので、殊更、スピーカ７の音量を大きくする必要なく、都合がよい。
【００２５】
（第２実施形態）
次に、本発明の第２実施形態について図５乃至図７を参照しながら説明する。図５は、本発明の第２実施形態に係る薄型テレビジョンのブロック構成を示すブロック図である。図６は、本発明の要部を示す側面図、図７は、図６に示すスライド手段の概略側面図である。なお、図５乃至図７において、上述した図１乃至図４と同じ符号を付した部分は、略同一のものを示すため、ここでは詳細な説明は省略する。以下、上述した第１実施形態との相違点を中心に説明する。
【００２６】
本実施形態では、図５に示すように、テレビジョン受信手段２には、音声信号を発信する発信部２５が付加されている。また、スピーカ７には、発信部２５からの音声信号を受信する受信部７が付加され、スピーカ７は、ワイヤレスに構成したものである。受信部７４は、スピーカ本体７２とともに、スピーカボックス７１内に収納されている。スピーカボックス７１内には、受信部７４や、スピーカ本体７２に電力を給電するために電池などからなる電源７５が収納されている。
【００２７】
また、図６および図７に示すように、スライド手段９は、筐体６の下端部６２直線状に設けられた断面形状が略逆Ｔ字状の係合部９１と、スピーカボックス７１の上端部７３に設けられ、係合部９１に嵌装される略逆Ｔ字状の嵌合溝９２とから形成されている。
【００２８】
以上の構成による本実施形態よれば、上述した第１実施形態と同様の作用効果を奏する他、スピーカ７の移動に際し、ワイヤレスに構成されているので、配線などを一切考慮する必要がない。従って、薄型テレビジョン１の設置されている場所とは異なる場所、例えば、台所や浴室、更には、トイレなどに持ち運び、例えば、スポーツ番組などの実況放送や、ドラマなどを画像は観得なくとも、音声を聴くことができる。
【００２９】
また、本実施形態よれば、筐体２側に突起物となる係合部９１を設け、スピーカ７側には、突起物は設けず、嵌合溝９２を形成したので、スピーカ７の移動に際して、突起部がなく、スライド手段７を損傷することがなく、都合がよい。
【００３０】
（第３実施形態）
次に、本発明の第３実施形態について図８および図９を参照しながら説明する。図８は、本発明の第３実施形態に係る要部を示す側面図、図９は、図８に示すスライド手段の概略側面図である。なお、図８および図９において、上述した図１乃至図７と同じ符号を付した部分は、略同一のものを示すため、ここでは詳細な説明は省略する。以下、上述した第１実施形態との相違点を中心に説明する。
【００３１】
本実施形態では、図８および図９に示すように、スライド手段９は、筐体６の下端部６２に直線状に設けられた断面形状が略鉤状の係合部９１と、スピーカボックス７１の上端部７３に設けられ、係合部９１に嵌装される略鉤状の嵌合溝９２とから形成されている。
【００３２】
以上の構成による本実施形態よれば、上述した第１実施形態と同様の作用効果を奏する他、スピーカ７を筐体６の下端部に着脱可能に装着するスライド手段９は、断面形状が略鉤状の係合部９１と、略鉤状の嵌合溝９２とから形成されているので、極めて安定した状態で、スピーカを装着することができる。また、係合部９１および嵌合溝９２の形状が、略鉤状でシンプルなため、これらを成型するための金型の構造が簡単となり、都合がよい。
【００３３】
なお、上述した各実施形態は、本発明の好適な実施例であるが、本発明はこれに限定されるものではなく、本発明の要旨を逸脱しない範囲において、種々変形実施可能である。
【００３４】
例えば、上述した各実施形態では、薄型の画像表示部として液晶ディスプレについて詳述したが、プラズマディスプレなど他の薄型の画像表示機能を備えたものに本発明を適用してもよいのは、勿論である。
【００３５】
また、上述した実施形態では、テレビジョン受信手段２と、スピーカ７との接続を、コードやワイヤレス方式により接続したが、このような接続方式に換えて、家庭内などの電力配線を用いる電力線通信方式を採用しても良いのは、勿論である。
【００３６】
更には、上述した各実施形態では、アナログ放送を受信するアナログ式の薄型テレビジョン１について説明したが、これに換えて、地上波のＵＨＦ帯を使用して開始された地上波デジタル放送を受信するようにした、所謂、地デジ式の薄型テレビジョンに適用しても良いのは、勿論である。
【図面の簡単な説明】
【００３７】
【図１】本発明の一実施形態に係る薄型テレビジョンのブロック構成を示すブロック図である。
【図２】図１に示す薄型テレビジョンの概略構成を示す正面図である。
【図３】図２に示す薄型テレビジョンのスピーカの一方を取り外した状態を示す正面図である。
【図４】スライド手段の一例を示す概略側面図である。
【図５】本発明の第２実施形態に係る薄型テレビジョンのブロック構成を示すブロック図である。
【図６】本発明の要部を示す側面図である。
【図７】図６に示すスライド手段の概略側面図である。
【図８】本発明の第３実施形態に係る要部を示す側面図である。
【図９】図８に示すスライド手段の概略側面図である。
【符号の説明】
【００３８】
１      薄型テレビジョン
２      テレビジョン受信手段
２５    発信部
３      薄型の画像表示部（液晶ディスプレ）
４      制御手段
６      筐体
６２    下端部
７      スピーカ
７１    スピーカボックス
７２    スピーカ本体
７３    上端部
７４    受信部
９      スライド手段
９１    係合部
９２    嵌合溝
Ａ      アンテナ
【図１】
2008244932.tif 000003
【図２】
2008244932.tif 000004
【図３】
2008244932.tif 000005
【図４】
2008244932.tif 000006
【図５】
2008244932.tif 000007
【図６】
2008244932.tif 000008
【図７】
2008244932.tif 000009
【図８】
2008244932.tif 000010
【図９】
2008244932.tif 000011